(57)【要約】【課題】  「差分伝送方式」において、「映像コンテンツ」と「差分情報」が異なる経路で伝送される場合に、「映像コンテンツ」の再生に応じた「差分情報」を保持しながら情報量を低減することが課題になっていた。【解決手段】実施形態の電子機器は、所定番組の録画予約がされている場合に、第２の経路で送信された、第１解像度の映像である前記所定番組を受信し、録画する録画部を備える。  また、第１の経路で送信された、前記第１解像度の映像より高画質である第２解像度の映像を生成するための差分情報を受信し、記憶する差分情報記憶部を備える。  また、録画されていない放送番組の放送終了を検出し、検出された前記録画されていない放送終了番組に対応する差分情報を消去指示する消去指示部と、を備える。【選択図】  図３
2014160932.tif 000002
【特許請求の範囲】
【請求項１】
所定番組の録画予約がされている場合に、第２の経路で送信された、第１解像度の映像である前記所定番組を受信し、録画する録画部と、
第１の経路で送信された、前記第１解像度の映像より高画質である第２解像度の映像を生成するための差分情報を受信し、記憶する差分情報記憶部と、
録画されていない放送番組の放送終了を検出し、検出された前記録画されていない放送終了番組に対応する差分情報を消去指示する消去指示部と、を備える電子機器。
【請求項２】
前記録画予約または録画されている番組に対応する差分情報を保持する請求項１に記載の電子機器。
【請求項３】
前記差分情報の消去指示を設定可能な設定部を備える請求項１または請求項２に記載の電子機器。
【請求項４】
前記差分情報の消去指示を受信可能な消去指示受信部を備える請求項１乃至請求項３のいずれかに記載の電子機器。
【請求項５】
前記差分情報記憶部は、前記差分情報を順次受信し、記憶する請求項１乃至請求項４のいずれかに記載の電子機器。
【請求項６】
前記差分情報の消去指示を設定するための設定メニューを表示可能な表示部を備える請求項１乃至請求項５のいずれかに記載の電子機器。
【請求項７】
所定番組の録画予約がされている場合に、第２の経路で送信された、第１解像度の映像である前記所定番組を受信し、録画するステップと、
第１の経路で送信された、前記第１解像度の映像より高画質である第２解像度の映像を生成するための差分情報を受信し、記憶するステップと、
録画されていない放送番組の放送終了を検出し、検出された前記録画されていない放送終了番組に対応する差分情報を消去指示するステップと、を備え、電子機器を制御する電子機器の制御方法。
【請求項８】
所定番組の録画予約がされている場合に、第２の経路で送信された、第１解像度の映像である前記所定番組を受信し、録画するステップと、
第１の経路で送信された、前記第１解像度の映像より高画質である第２解像度の映像を生成するための差分情報を受信し、記憶するステップと、
録画されていない放送番組の放送終了を検出し、検出された前記録画されていない放送終了番組に対応する差分情報を消去指示するステップと、を備え、電子機器を制御する電子機器の制御プログラム。
【発明の詳細な説明】
【技術分野】
【０００１】
本発明の実施形態は、  電子機器、電子機器の制御方法、電子機器の制御プログラムに関する。
【背景技術】
【０００２】
近年、例えば、「２ｋ１ｋ」と呼ばれる高解像度の映像コンテンツ（第１解像度の映像、または、ＨＤ映像）を表示することが可能な、高解像度映像コンテンツを表示可能なディスプレイを備えた電子機器が普及している。
【０００３】
ここで、「２ｋ１ｋ」とは、いわゆるフルＨＤ相当のサイズを示す表現である。
【０００４】
また、「２ｋ１ｋ」の「Ｋ」はキロを指す。フルＨＤの解像度は水平画素数１９２０×垂直画素数１０８０で、概算で２０００×１０００、すなわち「２ｋ１ｋ」という表現になっている。
【０００５】
また、解像度は、例えば、映像を表現するための縦と横の点（ドット）の数として表現される。
【０００６】
また、近年、例えば、「４ｋ２ｋ」と呼ばれる、「２ｋ１ｋ」よりもさらに高解像度の映像コンテンツ（第２解像度の映像）を表示可能なディスプレイを備えた電子機器が製品化されつつある。
【０００７】
ここで、「４ｋ２ｋ」とは、水平画素数 ４０００×垂直画素数２０００前後の画面解像度を持つ映像フォーマットの総称である。「４ｋ２ｋ」は、例えば、デジタルシネマの標準規格であるＤＣＩで定められている４Ｋ（４０９６×２１６０）や、ＦＨＤ（フルＨＤ：１９２０×１０８０)の４倍の画素数を持つＱＦＨＤ(クアッド・フルＨＤ：３８４０×２１６０等を指す。
【０００８】
このように、「４ｋ２ｋ」は、新しい動画規格として注目されている。
【０００９】
しかし、「４ｋ２ｋ」においては、情報を収納する媒体規格や配信方法が定まっておらず、コンテンツもあまり供給されていないため、一般的にはあまり馴染みがないのが現状である。
【００１０】
このため、例えば、「第１の映像コンテンツ」（第１解像度の映像（例えば、「２ｋ１ｋ」））と、映像差分データ（第１の映像コンテンツより解像度が高い第２の映像コンテンツ（第２解像度の映像（例えば、「４ｋ２ｋ」）と第１の映像コンテンツとの差分情報（「差分情報」））を用い、「第２の映像コンテンツ」（第２解像度の映像（例えば、「４ｋ２ｋ」）を表示する方式が提案されている（差分伝送方式）。
【００１１】
ここでは、例えば、「ＨＤ映像」のような「第１の映像コンテンツ」と、「第１の映像コンテンツ」との「差分情報」を用いて生成された、より高解像度（より高画質）な「４ｋ２ｋ映像」のような「第２の映像コンテンツ」を、「高画質映像コンテンツ」と呼ぶ。
【００１２】
また、例えば、「差分伝送方式」の一つの方式として、「映像コンテンツ」（例えば、ＨＤ映像）の映像信号を第２の経路（例えば、地上波放送等）で伝送し、「差分情報」は第１の経路（例えば、ＢＳ放送等）で伝送する、というように、「映像コンテンツ」と「差分情報」を異なる経路で伝送する方式が検討されている。
【００１３】
このため、この方式においては、「映像コンテンツ」と「差分情報」が異なる経路で伝送されるので、「映像コンテンツ」の再生に応じて、「差分情報」を確実に保持することが望ましい。
【００１４】
しかし、確実に保持しようとすると、「差分情報」が必要以上に蓄積され、情報量が増加してしまうことが問題になっていた。
【００１５】
このため、「差分伝送方式」において、「映像コンテンツ」と「差分情報」が異なる経路で伝送される場合に、「映像コンテンツ」の再生に応じた「差分情報」を保持しながら情報量を低減することが課題になっていた。
【先行技術文献】
【特許文献】
【００１６】
【特許文献１】特開２００６−２９５３９５号公報
【発明の概要】
【発明が解決しようとする課題】
【００１７】
「差分伝送方式」において、「映像コンテンツ」と「差分情報」が異なる経路で伝送される場合に、「映像コンテンツ」の再生に応じた「差分情報」を保持しながら情報量を低減することが課題になっていた。
【課題を解決するための手段】
【００１８】
実施形態の電子機器は、所定番組の録画予約がされている場合に、第２の経路で送信された、第１解像度の映像である前記所定番組を受信し、録画する録画部を備える。
【００１９】
また、第１の経路で送信された、前記第１解像度の映像より高画質である第２解像度の映像を生成するための差分情報を受信し、記憶する差分情報記憶部を備える。
【００２０】
また、録画されていない放送番組の放送終了を検出し、検出された前記録画されていない放送終了番組に対応する差分情報を消去指示する消去指示部と、を備える。
【図面の簡単な説明】
【００２１】
【図１】実施形態に係る電子機器の外観を示す外観図。
【図２】実施形態に係る電子機器が受信する「差分情報」を放送で伝送する放送局側の構成の一例を示すブロック図。
【図３】実施形態に係る電子機器の構成の一例を示すブロック図。
【図４】実施形態に係る電子機器の動作を説明するフローチャート。
【図５】実施形態に係る電子機器において、録画予約された番組の放送終了に連動して、差分情報の記録および保持が行われるようすを示す図。
【図６】実施形態に係る電子機器の表示部に表示出力される、録画予約されたＨＤ放送番組（第１の映像）の放送終了に連動して、４ｋ２ｋ差分情報を消去処理することが設定される、設定メニューを示す図。
【発明を実施するための形態】
【００２２】
以下、図面を参照し、実施の形態を説明する。
【００２３】
図１は、実施形態に係る電子機器の外観を示す外観図である。
【００２４】
ここでは、電子機器１の一例として、テレビ等の映像表示装置を用いて説明を行うが、電子機器１はテレビに限定されることはなく、録画装置やパーソナルコンピュータ（ＰＣ）、スマートフォン等にも適用可能である。
【００２５】
電子機器１は、例えば、ユーザによってリモコン（リモートコントローラ）２から操作される。このリモコン２から出力されたリモコン信号が電子機器１の操作受信部３で受信される。
【００２６】
リモコン信号を受信した電子機器１は、このリモコン信号の指示によって動作し、例えば、ＬＣＤ（Ｌｉｑｕｉｄ  Ｃｒｙｓｔａｌ  Ｄｉｓｐｌａｙ、液晶ディスプレイ）等で構成される表示画面（映像表示部）８に、所定の映像を表示出力する。
【００２７】
また、この電子機器１は、例えば、ＵＳＢ端子等で外付けされる外部記憶機器（ＨＤＤ等、図示せず）を備えている。そして、映像表示装置１で受信された放送を、例えば、映像表示装置１内部の内部記憶装置（図示せず）や外部記憶機器に録画することが可能である。
【００２８】
また、この実施形態においては、後述するように、放送局から、「高画質映像」を生成するための「差分情報」が放送によって伝送され、電子機器１で受信される、差分伝送方式が用いられる。
【００２９】
差分伝送方式は、例えば、第１の映像（第１解像度の映像（例えば、「２ｋ１ｋ」））と、映像差分データ（第１の映像より解像度が高い第２の映像（第２解像度の映像（例えば、「４ｋ２ｋ」）と第１の映像との差分情報）を用い、「高画質映像」である第２の映像（第２解像度の映像、例えば、「４ｋ２ｋ」映像）を表示出力する方式である。
【００３０】
そして、この実施形態の電子機器は、第１の映像（例えば、「２ｋ１ｋ」映像）と、第１の映像より解像度が高い第２の映像（例えば、「４ｋ２ｋ」映像）と第１の映像との差分映像データを用いて第２の映像を出力する。
【００３１】
図２は、実施形態に係る電子機器が受信する「差分情報」を放送で伝送する放送局側の構成の一例を示すブロック図である。
【００３２】
放送局２０側は、電子機器１側で、高画質映像（第２の映像（例えば、４ｋ２ｋ映像等））を生成するための、第１の映像（第１解像度の映像（例えば、ＨＤ（２ｋ１ｋ））映像等）を、放送によって送信（伝送）する。
【００３３】
また、放送局２０側は、第１の映像と組合せ、高画質映像（第２の映像（例えば、４ｋ２ｋ映像等））を生成するための、「差分情報」を含む放送信号を、放送によって送信（伝送）する。
【００３４】
ここでは、例えば、図２に示すように、高画質映像（第２の映像（４ｋ２ｋ映像等））のソースデータ２１が、分離部２２で、「差分情報（データ）」と主映像データ（第１の映像（第１解像度の映像（ＨＤ（２ｋ１ｋ））映像等））に分離され、それぞれ、差分情報（データ）処理／送信部２３、主映像データ処理／送信部２４に送信される。
【００３５】
差分情報（データ）処理／送信部２３では、第１の経路（例えば、ＢＳ放送等）２５で、「差分情報」を含む放送信号を、送信（伝送）する。
【００３６】
また、主映像データ処理／送信部２４では、第２の経路（例えば、地上波デジタル放送等）２６で、主映像データ（第１の映像（第１解像度の映像（ＨＤ（２ｋ１ｋ））映像等））を含む放送信号を、送信（伝送）する。
【００３７】
なお、この実施形態において、上記放送は、ＢＳ放送や地上波デジタル放送に限られることはなく、ＣＳ放送等の他の放送や、インターネット等の通信に適用することも可能である。
【００３８】
この実施形態においては、「差分情報」を含む放送信号の送信（伝送）と、主映像データ（第１の映像）を含む放送信号の送信（伝送）が異なる経路で行なわれるが、例えば、「差分情報」を含む放送信号の送信（伝送）を地上波デジタル放送で行ったり、主映像データ（第１の映像）を含む放送信号の送信（伝送）をＣＳ放送で行なったりと、適宜変更することが可能である。
【００３９】
図３は、実施形態に係る電子機器の構成の一例を示すブロック図である。
【００４０】
この実施形態の電子機器１においては、所定番組の録画予約がされている場合に、第２の経路（例えば、地上波デジタル放送等）２６で送信された、第１解像度の映像である所定番組を受信し、録画する録画部を備えている。
【００４１】
また、第１の経路（例えば、ＢＳ放送等）２５で送信された、前記第１解像度の映像より高画質である第２解像度の映像を生成するための差分情報を受信し、記憶する差分情報記憶部を備えている。
【００４２】
また、録画されていない放送番組の放送終了を検出し、検出された前記録画されていない放送終了番組に対応する差分情報を消去指示する消去指示部を備えている。
【００４３】
すなわち、この実施形態においては、例えば、ＢＳ伝送差分情報受信部３１は、第１の経路（例えば、ＢＳ放送等）２５で送信された４ｋ２ｋ差分情報を受信し、復調／デコード部３２に向けて出力する。
【００４４】
復調／デコード部３２は、受信した４ｋ２ｋ差分情報を復調処理やデコード処理する。
【００４５】
４ｋ２ｋ差分情報管理部３５は、復調／デコード部３２でデコード処理された４ｋ２ｋ差分情報を、システム制御部４０の指示で管理する。
【００４６】
また、ＨＤ放送受信部３３は、第２の経路（例えば、地上波デジタル放送等）２６で送信された、第１解像度の映像である所定番組を含むＨＤ映像データ（第１解像度）を受信し、復調／デコード部３４に向けて出力する。
【００４７】
復調／デコード部３４は、ＨＤ映像データ（第１解像度）を受信し、復調処理やデコード処理を行い、パネル（例えば、表示画面８）への出力処理、もしくは大容量記憶装置部４１に保存される。
【００４８】
ここで、パネル（例えば、表示画面８）への出力処理は、例えば、４ｋ２ｋ差分情報が対応づけられる映像コンテンツは、システム制御部４０の指示に従い、システムメモリ部３９を介しながら、映像処理部３８にて、ＨＤ映像データ（第１解像度）と４ｋ２ｋ差分情報とを用いて、ＨＤ映像データ（第１解像度）より解像度が高い４ｋ２ｋ映像（第２解像度）が生成される。そして、パネル出力部４８を介してパネル（例えば、表示画面８）へ映像の表示出力が行われる。
【００４９】
なお、４ｋ２ｋ差分情報を持たない（４ｋ２ｋ差分情報が対応付けられない）映像コンテンツの出力はシステムに応じることになる。このため、この方法は、この実施形態では、特に説明しない。
【００５０】
また、ＧＵＩ処理部３７は、例えば、番組表や録画リスト、番組視聴中の番組情報、その他メニューや音量等のＧＵＩデータ生成を行う。
【００５１】
また、ＧＵＩデータは、例えば、システム制御部４０からの指示で、ＧＵＩ表示有効フレームになると、システムメモリ部３９を介しながら、パネル出力部４８にて、映像データと合成が行われ、パネル（例えば、表示画面８）へ表示が行われる。
【００５２】
そして、操作部３６にて、例えば、視聴者が扱う操作機器２からの入力を受け、システム制御部４０へ操作情報が伝えられる。
【００５３】
図４は、実施形態に係る電子機器の動作を説明するフローチャートである。
【００５４】
ステップＳ１００は、ここでの開始ステップである。続いて、ステップＳ１０１に進む。
【００５５】
ステップＳ１０１は、第１の経路（ＢＳ放送等）で送信された４ｋ２ｋ差分情報を順次受信し、記憶部（大容量記憶装置部）４１に記憶するステップである。続いて、ステップＳ１０２に進む。
【００５６】
ステップＳ１０２は、例えば、ユーザによる所定番組の録画予約があるかを検出するステップである。所定番組の録画予約があると検出される場合は、ステップＳ１０３に進む（Ｙｅｓ）。所定番組の録画予約があると検出されない場合は、ステップＳ１０１に進み、上記処理を繰り返す（Ｎｏ）。
【００５７】
ステップＳ１０３は、録画予約された、第２の経路（地上波デジタル放送等）で送信された、第１解像度の映像（ＨＤ映像等）である、所定番組（映像コンテンツ）を受信し、記憶部（大容量記憶装置部）４１に記憶（録画）するステップである。続いて、ステップＳ１０４に進む。
【００５８】
ステップＳ１０４は、システム制御部４０から、４ｋ２ｋ差分情報の消去要求（指示）を受信するステップである。続いて、ステップＳ１０５に進む。
【００５９】
ステップＳ１０５は、４ｋ２ｋ差分情報の管理を確認するステップである。続いて、ステップＳ１０６に進む。
【００６０】
ステップＳ１０６は、録画されていない放送（未録画の放送）で終了した番組があるかを検出するステップである。未録画の放送で終了した番組があると検出される場合は、
ステップＳ１０７に進む（Ｙｅｓ）。未録画の放送で終了した番組があると検出されない場合は、ステップＳ１０５に進み、上記処理を繰り返す（Ｎｏ）。
【００６１】
ステップＳ１０７は、例えば、後述する図６に示すように、４ｋ２ｋ差分情報の消去が設定されたかを検出するステップである。４ｋ２ｋ差分情報の消去が設定されたと検出される場合は、ステップＳ１０８に進む（Ｙｅｓ）。４ｋ２ｋ差分情報の消去が設定されたと検出されない場合は、ステップＳ１１０に進む（Ｎｏ）。
【００６２】
ステップＳ１０８は、未録画の放送番組終了検出に応じ、番組記憶部（大容量記憶装置部）４１に記憶されている、録画されていない番組の４ｋ２ｋ差分情報を消去指示し、また、録画予約または録画されている番組の４ｋ２ｋ差分情報は保持するステップである。続いて、ステップＳ１０９に進む。
【００６３】
ステップＳ１０９は、4k2k差分情報の管理を更新するステップである。続いて、ステップＳ１１０に進む。
【００６４】
ステップＳ１１０は、未確認の差分情報があるかを検出するステップである。未確認の差分情報があると検出される場合は、ステップＳ１０５に進み、上記処理を繰り返す（Ｙｅｓ）。未確認の差分情報があると検出されない場合は、ステップＳ１１１に進む（Ｎｏ）。
【００６５】
ステップＳ１１１は、終了ステップであり、ここでの処理は終了する。
【００６６】
すなわち、この実施形態においては、図３に示すように、４ｋ２ｋ差分情報の配信が開始されると、ＢＳ伝送差分情報受信部３１と、復調／デコード部３２を経由して、４ｋ２ｋ差分情報の取得が順次行われる。
【００６７】
また、４ｋ２ｋ差分情報管理部３５では、取得した４ｋ２ｋ差分情報の管理として、ＨＤ放送との関連情報として、例えば、開始日時と終了日時を含む、システムに応じた情報をテーブルとして持つことが可能である。
【００６８】
また、ここで、４ｋ２ｋ差分情報がリアルタイムに配信が行われ、視聴する番組のみ保存を行う場合を、システムケース１とする（システムケース１）。また、４ｋ２ｋ差分情報がＨＤ放送に対して事前に配信が行われ、配信が行われる各番組の保存を行う場合をシステムケース２とする（システムケース２）。また、４ｋ２ｋ差分情報がリアルタイムに配信が行われ、視聴する番組の他に裏番組も保存する場合を、システムケース３とする（システムケース３）。また、視聴者が操作機器２を使うことで、録画したＨＤ映像コンテンツを消去する場合をシステムケース４とする（システムケース４）。
【００６９】
そして、例えば、システム制御部４０の指示による４ｋ２ｋ差分情報消去要求により、現在所有する４ｋ２ｋ差分情報に対するＨＤ放送が終了しているか終了していないかを確認する。
【００７０】
そして、例えば、システムケース１では、該当する番組の終了を発生条件とする。また、システムケース２とシステムケース３では消去可能な４ｋ２ｋ差分情報を複数検出するために、発生条件を定期的な巡回とする。また、システムケース４では、視聴者のＨＤ映像コンテンツ消去操作を発生条件とする。
【００７１】
そして、４ｋ２ｋ差分情報の管理確認として、システムケース２とシステムケース３では、４ｋ２ｋ差分情報管理部３５で持つＨＤ放送との関連情報を確認し、対応するＨＤ放送が終了しているか、終了していないかを判断する。
【００７２】
システムケース１とシステムケース４では、４ｋ２ｋ差分情報消去要求が行われた時点でＨＤ放送が終了しているため、次の処理へ移行する。
【００７３】
また、対応するＨＤ放送が録画されている場合は、差分情報の消去モード設定（図６）に従い、４ｋ２ｋ差分情報をそのまま保管もしくは消去を行う。
【００７４】
録画がされていない場合は、４ｋ２ｋ差分情報の消去を行い、４ｋ２ｋ差分情報管理部３５にある管理情報の更新を行う。
【００７５】
ここで、ＨＤ放送を録画して４ｋ２ｋ差分情報を消去した場合、録画したＨＤサイズコンテンツを再生する場合は、映像処理部にてアップスケーリングを行い、４ｋ２ｋサイズでパネル（表示画面８）に表示を行う。
【００７６】
なお、このアップスケーリングは、一例である。
【００７７】
また、システムケース２とシステムケース３では、次の４ｋ２ｋ差分情報に対して同様の処理を繰り返し行い、未確認の４ｋ２ｋ差分情報がなくなった時点で終了する。システムケース１とシステムケース４では処理を終了する。
【００７８】
図５は、実施形態に係る電子機器において、録画予約された番組の放送終了に連動して、差分情報の記録および保持が行われる様子を示す図である。
【００７９】
ここでは、差分情報の消去モードが、録画するＨＤ放送終了に連動して、消去する設定となっている場合の動作である。
【００８０】
例えば、番組Ａと番組Ｂに対応する４ｋ２ｋ差分情報は、大容量記憶装置４１に保存される。
【００８１】
そして、番組Ａは放送録画を行うため、放送が終了しても対応する４ｋ２ｋ差分情報は消去処理しない。これに対して、番組Ｂは放送録画を行わないため、放送が終了すると対応する４ｋ２ｋ差分情報を消去する。
【００８２】
図５（ａ）は、番組Ａの４ｋ２ｋ差分情報５１を受信し、記録するようすを示している。
【００８３】
図５（ｂ）は、番組Ｂの４ｋ２ｋ差分情報５２を受信し、記録する。そして、番組Ａは録画されているため、放送終了しても、記録されている番組Ａの４ｋ２ｋ差分情報５１は保持する（消去しない）様子を示している。
【００８４】
図５（ｃ）は、番組Ｂは録画されていないため、放送終了したら、番組Ｂの４ｋ２ｋ差分情報５２を消去処理する様子を示している。
【００８５】
図６は、実施形態に係る電子機器の表示部に表示出力される、録画予約されたＨＤ放送番組（第１の映像）の放送終了に連動して、４ｋ２ｋ差分情報を消去処理することが設定される、設定メニューを示す図である。
【００８６】
図６に示すように、視聴者は、例えば、操作機器２を使用し、放送録画をしたＨＤ放送が終了した場合に、４ｋ２ｋ差分情報を保管もしくは消去を行うかを設定することが可能である。
【００８７】
この「設定メニュー」６０においては、例えば、「録画予約されたＨＤ放送番組（第１の映像）の放送終了に連動して、４ｋ２ｋ差分情報を消去処理しますか？」と表示出力され、視聴者によって、「Ｙｅｓ」６１が指定されている。
【００８８】
また、この実施形態においては、第１の映像（ＨＤ）放送中に、例えば、既に放送された箇所をＧＯＰ（Ｇｒｏｕｐ ｏｆ Ｐｉｃｔｕｒｅｓ）単位で、順次消去していくように構成しても良い。
【００８９】
すなわち、この実施形態の電子機器１においては、所定番組の録画予約がされている場合に、第２の経路（例えば、地上波デジタル放送等）２６で送信された、第１解像度の映像である所定番組を受信し、録画する録画部を備えている。
【００９０】
また、第１の経路（例えば、ＢＳ放送等）２５で送信された、前記第１解像度の映像より高画質である第２解像度の映像を生成するための差分情報を受信し、記憶する差分情報記憶部を備えている。
【００９１】
また、録画されていない放送番組の放送終了を検出し、検出された前記録画されていない放送終了番組に対応する差分情報を消去指示する消去指示部を備えている。
【００９２】
また、録画予約または録画されている番組に対応する差分情報を保持する。
【００９３】
また、前記差分情報の消去指示を設定可能な設定部を備える。
【００９４】
また、前記差分情報の消去指示を受信可能な消去指示受信部を備える。
【００９５】
また、前記差分情報記憶部は、前記差分情報を順次受信し、記憶する。
【００９６】
また、前記差分情報の消去指示を設定するための設定メニューを表示可能な表示部を備える。
【００９７】
上記のように構成することによって、この実施形態においては、例えば、「差分伝送方式」において、「映像コンテンツ」と「差分情報」が異なる経路で伝送される場合に、「映像コンテンツ」の再生に応じた「差分情報」を保持し、ユーザの利便性を向上させることが可能になる。
【００９８】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００９９】
なお、上記実施形態は、記述そのものに限定されるものではなく、実施段階では、その趣旨を逸脱しない範囲で、構成要素を種々変形して具体化することが可能である。
【０１００】
また、上記実施形態に開示されている複数の構成要素の適宜な組み合せにより種々の発明を形成できる。
【０１０１】
例えば、実施形態に示される全構成要素から幾つかの構成要素を削除してもよい。更に、異なる実施形態に亘る構成要素を適宜組み合せてもよい。
【符号の説明】
【０１０２】
２…操作機器、２５…第１の経路、２６…第２の経路、３１…ＢＳ伝送差分情報受信部、３２…復調／デコード部、３３…ＨＤ放送受信部、３４…復調／デコード部、３５…４ｋ２ｋ差分情報管理部、３６…操作部、３７…ＧＵＩ処理部、３８…映像処理部、３９…システムメモリ部、４０…システム制御部、４１…大容量記憶装置部。
【図１】
2014160932.tif 000003
【図２】
2014160932.tif 000004
【図３】
2014160932.tif 000005
【図４】
2014160932.tif 000006
【図５】
2014160932.tif 000007
【図６】
2014160932.tif 000008